【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、
から成る遊技用システムにおいて、
前記価値加算装置は、
当該価値加算装置が設けられる遊技場の営業中に、前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段と、
前記価値加算処理の対象となる遊技者特定記録媒体の遊技者特定情報を含む価値加算情報を前記管理装置に送信する価値加算情報送信手段と、
を有し、
前記配線異常検出手段は、前記配線異常を検出した場合に、その旨を報知するための処理を行い、
前記精算装置は、前記精算処理の対象となる遊技者特定記録媒体の遊技者特定情報を含む精算情報を前記管理装置に送信する精算情報送信手段を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理の実施時刻とを含む遊技者特定記録媒体の処理履歴を管理する処理履歴管理手段と、
該処理履歴に基づいて、同一遊技者特定情報において価値加算処理と精算処理が行われた間の時間差を算出し、該算出した時間差が予め定められた所定時間差以内である遊技者特定情報を抽出する抽出処理を行う抽出処理手段と、
該抽出処理手段による抽出結果を出力する出力手段と、
を有することを特徴とする遊技用システム。
【請求項２】
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、
から成る遊技用システムにおいて、
前記価値加算装置は、
当該価値加算装置が設けられる遊技場の営業中に、前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段と、
前記価値加算処理の対象となる遊技者特定記録媒体の遊技者特定情報と、該価値加算処理に供される遊技用価値の大きさを特定可能な情報とを含む価値加算情報を前記管理装置に送信する価値加算情報送信手段と、
を有し、
前記配線異常検出手段は、前記配線異常を検出した場合に、その旨を報知するための処理を行い、
前記精算装置は、前記精算処理の対象となる遊技者特定記録媒体の遊技者特定情報と、該精算処理に供される遊技用価値の大きさを特定可能な情報とを含む精算情報を前記管理装置に送信する精算情報送信手段を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理に供された遊技用価値の大きさとを含む遊技者特定記録媒体の処理履歴を管理する処理履歴管理手段と、
該処理履歴に基づいて、同一遊技者特定情報において価値加算処理に供された遊技用価値の大きさと精算処理に供された遊技用価値の大きさが同じである遊技者特定情報を抽出する抽出処理を行う抽出処理手段と、
該抽出処理手段による抽出結果を出力する出力手段と、
を有することを特徴とする遊技用システム。
【請求項３】
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記精算装置と通信可能であって、前記精算処理に関する情報を収集・管理する管理装置と、
から成る遊技用システムにおいて、
前記価値加算装置は、当該価値加算装置が設けられる遊技場の営業中に、前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段を有し、
前記配線異常検出手段は、前記配線異常を検出した場合に、その旨を報知するための処理を行い、
前記精算装置は、前記精算処理の対象となる遊技者特定記録媒体の遊技者特定情報を含む精算情報を前記管理装置に送信する精算情報送信手段を有し、
前記管理装置は、
前記精算情報送信手段から送信されてきた前記精算情報に基づいて、遊技者特定情報と、精算処理の実施時刻とを含む精算履歴を管理する精算履歴管理手段と、
該精算履歴に基づいて、同一遊技者特定情報において、所定期間内に前記精算処理が所定回数以上行われた遊技者特定情報を抽出する抽出処理を行う抽出処理手段と、
該抽出処理手段による抽出結果を出力する出力手段と、
を有することを特徴とする遊技用システム。
【請求項４】
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、
から成る遊技用システムにおいて、
前記価値加算装置は、
前記貨幣額送信線の配線異常判定を実施する旨の判定実施信号を前記貨幣額送信手段に対して送信する配線異常検出手段と、
前記価値加算処理の対象となる遊技者特定記録媒体の遊技者特定情報を含む価値加算情報を前記管理装置に送信する価値加算情報送信手段と、
を有し、
前記貨幣額送信手段は、該配線異常検出手段から送信された判定実施信号に応じて各貨幣額送信線より順に応答信号を送信し、
前記配線異常検出手段は、各貨幣額送信線より順に送信される前記応答信号の正規の受信順序を記憶しており、該各貨幣額送信線より順に送信されてくる前記応答信号の受信に基づいて前記配線異常判定を実施して、該応答信号の受信順序と前記正規の受信順序とが異なる場合に配線異常と検出し、該配線異常を検出した場合に、その旨を報知するための処理を行い、
前記精算装置は、前記精算処理の対象となる遊技者特定記録媒体の遊技者特定情報を含む精算情報を前記管理装置に送信する精算情報送信手段を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理の実施時刻とを含む遊技者特定記録媒体の処理履歴を管理する処理履歴管理手段と、
該処理履歴に基づいて、同一遊技者特定情報において価値加算処理と精算処理が行われた間の時間差を算出し、該算出した時間差が予め定められた所定時間差以内である遊技者特定情報を抽出する抽出処理を行う抽出処理手段と、
該抽出処理手段による抽出結果を出力する出力手段と、
を有することを特徴とする遊技用システム。
【請求項５】
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、
から成る遊技用システムにおいて、
前記価値加算装置は、
前記貨幣額送信線の配線異常判定を実施する旨の判定実施信号を前記貨幣額送信手段に対して送信する配線異常検出手段と、
前記価値加算処理の対象となる遊技者特定記録媒体の遊技者特定情報と、該価値加算処理に供される遊技用価値の大きさを特定可能な情報とを含む価値加算情報を前記管理装置に送信する価値加算情報送信手段と、
を有し、
前記貨幣額送信手段は、該配線異常検出手段から送信された判定実施信号に応じて各貨幣額送信線より順に応答信号を送信し、
前記配線異常検出手段は、各貨幣額送信線より順に送信される前記応答信号の正規の受信順序を記憶しており、該各貨幣額送信線より順に送信されてくる前記応答信号の受信に基づいて前記配線異常判定を実施して、該応答信号の受信順序と前記正規の受信順序とが異なる場合に配線異常と検出し、該配線異常を検出した場合に、その旨を報知するための処理を行い、
前記精算装置は、前記精算処理の対象となる遊技者特定記録媒体の遊技者特定情報と、該精算処理に供される遊技用価値の大きさを特定可能な情報とを含む精算情報を前記管理装置に送信する精算情報送信手段を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理に供された遊技用価値の大きさとを含む遊技者特定記録媒体の処理履歴を管理する処理履歴管理手段と、
該処理履歴に基づいて、同一遊技者特定情報において価値加算処理に供された遊技用価値の大きさと精算処理に供された遊技用価値の大きさが同じである遊技者特定情報を抽出する抽出処理を行う抽出処理手段と、
該抽出処理手段による抽出結果を出力する出力手段と、
を有することを特徴とする遊技用システム。
【請求項６】
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記精算装置と通信可能であって、前記精算処理に関する情報を収集・管理する管理装置と、
から成る遊技用システムにおいて、
前記価値加算装置は、前記貨幣額送信線の配線異常判定を実施する旨の判定実施信号を前記貨幣額送信手段に対して送信する配線異常検出手段を有し、
前記貨幣額送信手段は、該配線異常検出手段から送信された判定実施信号に応じて各貨幣額送信線より順に応答信号を送信し、
前記配線異常検出手段は、各貨幣額送信線より順に送信される前記応答信号の正規の受信順序を記憶しており、該各貨幣額送信線より順に送信されてくる前記応答信号の受信に基づいて前記配線異常判定を実施して、該応答信号の受信順序と前記正規の受信順序とが異なる場合に配線異常と検出し、該配線異常を検出した場合に、その旨を報知するための処理を行い、
前記精算装置は、前記精算処理の対象となる遊技者特定記録媒体の遊技者特定情報を含む精算情報を前記管理装置に送信する精算情報送信手段を有し、
前記管理装置は、
前記精算情報送信手段から送信されてきた前記精算情報に基づいて、遊技者特定情報と、精算処理の実施時刻とを含む精算履歴を管理する精算履歴管理手段と、
該精算履歴に基づいて、同一遊技者特定情報において、所定期間内に前記精算処理が所定回数以上行われた遊技者特定情報を抽出する抽出処理を行う抽出処理手段と、
該抽出処理手段による抽出結果を出力する出力手段と、
を有することを特徴とする遊技用システム。
【請求項７】
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、
から成る遊技用システムにおいて、
前記価値加算装置は、
前記貨幣額送信線の配線異常判定を実施する旨の判定実施信号を前記貨幣額送信手段に対して送信する配線異常検出手段と、
前記価値加算処理の対象となる遊技者特定記録媒体の遊技者特定情報を含む価値加算情報を前記管理装置に送信する価値加算情報送信手段と、
を有し、
前記貨幣額送信手段は、該配線異常検出手段から送信された判定実施信号に応じて各貨幣額送信線より順に、かつ所定時間間隔で応答信号を送信し、
前記配線異常検出手段は、各貨幣額送信線より順に送信されてくる前記応答信号の受信に基づいて前記配線異常判定を実施して、同時期に複数の応答信号を受信した場合に配線異常と検出し、該配線異常を検出した場合に、その旨を報知するための処理を行い、
前記精算装置は、前記精算処理の対象となる遊技者特定記録媒体の遊技者特定情報を含む精算情報を前記管理装置に送信する精算情報送信手段を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理の実施時刻とを含む遊技者特定記録媒体の処理履歴を管理する処理履歴管理手段と、
該処理履歴に基づいて、同一遊技者特定情報において価値加算処理と精算処理が行われた間の時間差を算出し、該算出した時間差が予め定められた所定時間差以内である遊技者特定情報を抽出する抽出処理を行う抽出処理手段と、
該抽出処理手段による抽出結果を出力する出力手段と、
を有することを特徴とする遊技用システム。
【請求項８】
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、
から成る遊技用システムにおいて、
前記価値加算装置は、
前記貨幣額送信線の配線異常判定を実施する旨の判定実施信号を前記貨幣額送信手段に対して送信する配線異常検出手段と、
前記価値加算処理の対象となる遊技者特定記録媒体の遊技者特定情報と、該価値加算処理に供される遊技用価値の大きさを特定可能な情報とを含む価値加算情報を前記管理装置に送信する価値加算情報送信手段と、
を有し、
前記貨幣額送信手段は、該配線異常検出手段から送信された判定実施信号に応じて各貨幣額送信線より順に、かつ所定時間間隔で応答信号を送信し、
前記配線異常検出手段は、各貨幣額送信線より順に送信されてくる前記応答信号の受信に基づいて前記配線異常判定を実施して、同時期に複数の応答信号を受信した場合に配線異常と検出し、該配線異常を検出した場合に、その旨を報知するための処理を行い、
前記精算装置は、前記精算処理の対象となる遊技者特定記録媒体の遊技者特定情報と、該精算処理に供される遊技用価値の大きさを特定可能な情報とを含む精算情報を前記管理装置に送信する精算情報送信手段を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理に供された遊技用価値の大きさとを含む遊技者特定記録媒体の処理履歴を管理する処理履歴管理手段と、
該処理履歴に基づいて、同一遊技者特定情報において価値加算処理に供された遊技用価値の大きさと精算処理に供された遊技用価値の大きさが同じである遊技者特定情報を抽出する抽出処理を行う抽出処理手段と、
該抽出処理手段による抽出結果を出力する出力手段と、
を有することを特徴とする遊技用システム。
【請求項９】
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記精算装置と通信可能であって、前記精算処理に関する情報を収集・管理する管理装置と、
から成る遊技用システムにおいて、
前記価値加算装置は、前記貨幣額送信線の配線異常判定を実施する旨の判定実施信号を前記貨幣額送信手段に対して送信する配線異常検出手段を有し、
前記貨幣額送信手段は、該配線異常検出手段から送信された判定実施信号に応じて各貨幣額送信線より順に、かつ所定時間間隔で応答信号を送信し、
前記配線異常検出手段は、各貨幣額送信線より順に送信されてくる前記応答信号の受信に基づいて前記配線異常判定を実施して、同時期に複数の応答信号を受信した場合に配線異常と検出し、該配線異常を検出した場合に、その旨を報知するための処理を行い、
前記精算装置は、前記精算処理の対象となる遊技者特定記録媒体の遊技者特定情報を含む精算情報を前記管理装置に送信する精算情報送信手段を有し、
前記管理装置は、
前記精算情報送信手段から送信されてきた前記精算情報に基づいて、遊技者特定情報と、精算処理の実施時刻とを含む精算履歴を管理する精算履歴管理手段と、
該精算履歴に基づいて、同一遊技者特定情報において、所定期間内に前記精算処理が所定回数以上行われた遊技者特定情報を抽出する抽出処理を行う抽出処理手段と、
該抽出処理手段による抽出結果を出力する出力手段と、
を有することを特徴とする遊技用システム。
【請求項１０】
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、
から成る遊技用システムにおいて、
前記価値加算装置は、
前記貨幣額送信線の配線異常判定を実施する旨の判定実施信号を前記貨幣額送信手段に対して送信する配線異常検出手段と、
前記価値加算処理の対象となる遊技者特定記録媒体の遊技者特定情報を含む価値加算情報を前記管理装置に送信する価値加算情報送信手段と、
を有し、
前記貨幣額送信手段は、該配線異常検出手段から送信された判定実施信号に応じて各貨幣額送信線より順に、かつ所定時間間隔で応答信号を送信し、
前記配線異常検出手段は、各貨幣額送信線より順に送信されてくる前記応答信号の受信に基づいて前記配線異常判定を実施して、該応答信号の受信間隔が許容時間内であるか否かの確認を行い、該応答信号の受信間隔が許容時間内でない場合に配線異常と検出し、該配線異常を検出した場合に、その旨を報知するための処理を行い、
前記精算装置は、前記精算処理の対象となる遊技者特定記録媒体の遊技者特定情報を含む精算情報を前記管理装置に送信する精算情報送信手段を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理の実施時刻とを含む遊技者特定記録媒体の処理履歴を管理する処理履歴管理手段と、
該処理履歴に基づいて、同一遊技者特定情報において価値加算処理と精算処理が行われた間の時間差を算出し、該算出した時間差が予め定められた所定時間差以内である遊技者特定情報を抽出する抽出処理を行う抽出処理手段と、
該抽出処理手段による抽出結果を出力する出力手段と、
を有することを特徴とする遊技用システム。
【請求項１１】
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、
から成る遊技用システムにおいて、
前記価値加算装置は、
前記貨幣額送信線の配線異常判定を実施する旨の判定実施信号を前記貨幣額送信手段に対して送信する配線異常検出手段と、
前記価値加算処理の対象となる遊技者特定記録媒体の遊技者特定情報と、該価値加算処理に供される遊技用価値の大きさを特定可能な情報とを含む価値加算情報を前記管理装置に送信する価値加算情報送信手段と、
を有し、
前記貨幣額送信手段は、該配線異常検出手段から送信された判定実施信号に応じて各貨幣額送信線より順に、かつ所定時間間隔で応答信号を送信し、
前記配線異常検出手段は、各貨幣額送信線より順に送信されてくる前記応答信号の受信に基づいて前記配線異常判定を実施して、該応答信号の受信間隔が許容時間内であるか否かの確認を行い、該応答信号の受信間隔が許容時間内でない場合に配線異常と検出し、該配線異常を検出した場合に、その旨を報知するための処理を行い、
前記精算装置は、前記精算処理の対象となる遊技者特定記録媒体の遊技者特定情報と、該精算処理に供される遊技用価値の大きさを特定可能な情報とを含む精算情報を前記管理装置に送信する精算情報送信手段を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理に供された遊技用価値の大きさとを含む遊技者特定記録媒体の処理履歴を管理する処理履歴管理手段と、
該処理履歴に基づいて、同一遊技者特定情報において価値加算処理に供された遊技用価値の大きさと精算処理に供された遊技用価値の大きさが同じである遊技者特定情報を抽出する抽出処理を行う抽出処理手段と、
該抽出処理手段による抽出結果を出力する出力手段と、
を有することを特徴とする遊技用システム。
【請求項１２】
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記精算装置と通信可能であって、前記精算処理に関する情報を収集・管理する管理装置と、
から成る遊技用システムにおいて、
前記価値加算装置は、前記貨幣額送信線の配線異常判定を実施する旨の判定実施信号を前記貨幣額送信手段に対して送信する配線異常検出手段を有し、
前記貨幣額送信手段は、該配線異常検出手段から送信された判定実施信号に応じて各貨幣額送信線より順に、かつ所定時間間隔で応答信号を送信し、
前記配線異常検出手段は、各貨幣額送信線より順に送信されてくる前記応答信号の受信に基づいて前記配線異常判定を実施して、該応答信号の受信間隔が許容時間内であるか否かの確認を行い、該応答信号の受信間隔が許容時間内でない場合に配線異常と検出し、該配線異常を検出した場合に、その旨を報知するための処理を行い、
前記精算装置は、前記精算処理の対象となる遊技者特定記録媒体の遊技者特定情報を含む精算情報を前記管理装置に送信する精算情報送信手段を有し、
前記管理装置は、
前記精算情報送信手段から送信されてきた前記精算情報に基づいて、遊技者特定情報と、精算処理の実施時刻とを含む精算履歴を管理する精算履歴管理手段と、
該精算履歴に基づいて、同一遊技者特定情報において、所定期間内に前記精算処理が所定回数以上行われた遊技者特定情報を抽出する抽出処理を行う抽出処理手段と、
該抽出処理手段による抽出結果を出力する出力手段と、
を有することを特徴とする遊技用システム。
【請求項１３】
前記管理装置は、
前記抽出結果に含まれる遊技者特定情報を不正の可能性がある遊技者特定情報として登録するとともに、前記不正の可能性のある遊技者特定情報として登録されている遊技者特定情報について、該遊技者特定情報が該当する遊技者特定記録媒体の使用を不可とするための無効情報を受付けて、該無効情報に該当する遊技者特定情報を無効遊技者特定情報として登録する登録手段と、
該登録情報に基づいて前記価値加算処理と精算処理において各処理の対象となる遊技者特定記録媒体の使用の可否を判定する可否判定処理を行う可否判定処理手段と、
を有する請求項１ないし１２のいずれかに記載の遊技用システム。
【請求項１４】
前記価値加算装置並びに前記精算装置には、各装置を識別可能な識別情報が付与され、
前記価値加算情報或いは前記精算情報は該識別情報を含むとともに、
前記処理履歴或いは精算履歴は、処理を実施した装置の識別情報を含み、
前記抽出処理手段は、前記抽出した遊技者特定情報について当日の処理履歴或いは精算履歴を抽出し、
前記出力手段は、該抽出結果を出力する
請求項１ないし１３のいずれかに記載の遊技用システム。
【手続補正２】
【補正対象書類名】明細書
【補正対象項目名】０００７
【補正方法】変更
【補正の内容】
【０００７】
しかしながら、これら会員カードに残存する遊技用価値の精算が可能なシステムにおいては、前記貨幣額信号線を組み替えることで、例えば貨幣識別手段にて千円が識別されたにも拘わらず、該組み替えられた貨幣額送信線を通じて一万円の貨幣額を示す信号が送信されたりするため、該貨幣額送信線の組み替えを狙った不正が行われる可能性がある。このような信号線の組み替えにより価値加算したり、あるいは偽造貨幣を用いて会員カードに価値加算し、該価値加算した遊技用価値を精算装置にて精算すれば本物の真紙幣を入手できることになる。
【手続補正３】
【補正対象書類名】明細書
【補正対象項目名】００１０
【補正方法】変更
【補正の内容】
【００１０】
上記課題を解決するために、本発明の請求項１に記載の遊技用システムは、
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、
から成る遊技用システムにおいて、
前記価値加算装置は、
当該価値加算装置が設けられる遊技場の営業中に、前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段と、
前記価値加算処理の対象となる遊技者特定記録媒体の遊技者特定情報を含む価値加算情報を前記管理装置に送信する価値加算情報送信手段と、
を有し、
前記配線異常検出手段は、前記配線異常を検出した場合に、その旨を報知するための処理を行い、
前記精算装置は、前記精算処理の対象となる遊技者特定記録媒体の遊技者特定情報を含む精算情報を前記管理装置に送信する精算情報送信手段を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理の実施時刻とを含む遊技者特定記録媒体の処理履歴を管理する処理履歴管理手段と、
該処理履歴に基づいて、同一遊技者特定情報において価値加算処理と精算処理が行われた間の時間差を算出し、該算出した時間差が予め定められた所定時間差以内である遊技者特定情報を抽出する抽出処理を行う抽出処理手段と、
該抽出処理手段による抽出結果を出力する出力手段と、
を有することを特徴としている。
この特徴によれば、価値加算装置において、遊技場の営業中に配線異常判定が実施され、配線異常が検出された場合にその旨が報知されるので、貨幣額送信線の組み替え等の不正配線等を早期に発見して適切な処置を行うことができるばかりか、不正配線等に対する適切な処置が間に合わなかった場合や偽造貨幣を用いて価値加算が行われた場合にも、価値加算処理が実施された後、短時間にて精算処理がなされた遊技者特定記録媒体が自動的に抽出されて出力されるようになるため、通常の遊技への使用とは異なり、不正に価値加算処理及び精算処理が実施された可能性のある遊技者特定記録媒体を簡便に特定することができる。
【手続補正４】
【補正対象書類名】明細書
【補正対象項目名】００１１
【補正方法】変更
【補正の内容】
【００１１】
本発明の請求項２に記載の遊技用システムは、
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、
から成る遊技用システムにおいて、
前記価値加算装置は、
当該価値加算装置が設けられる遊技場の営業中に、前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段と、
前記価値加算処理の対象となる遊技者特定記録媒体の遊技者特定情報と、該価値加算処理に供される遊技用価値の大きさを特定可能な情報とを含む価値加算情報を前記管理装置に送信する価値加算情報送信手段と、
を有し、
前記配線異常検出手段は、前記配線異常を検出した場合に、その旨を報知するための処理を行い、
前記精算装置は、前記精算処理の対象となる遊技者特定記録媒体の遊技者特定情報と、該精算処理に供される遊技用価値の大きさを特定可能な情報とを含む精算情報を前記管理装置に送信する精算情報送信手段を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理に供された遊技用価値の大きさとを含む遊技者特定記録媒体の処理履歴を管理する処理履歴管理手段と、
該処理履歴に基づいて、同一遊技者特定情報において価値加算処理に供された遊技用価値の大きさと精算処理に供された遊技用価値の大きさが同じである遊技者特定情報を抽出する抽出処理を行う抽出処理手段と、
該抽出処理手段による抽出結果を出力する出力手段と、
を有することを特徴としている。
この特徴によれば、価値加算装置において、遊技場の営業中に配線異常判定が実施され、配線異常が検出された場合にその旨が報知されるので、貨幣額送信線の組み替え等の不正配線等を早期に発見して適切な処置を行うことができるばかりか、不正配線等に対する適切な処置が間に合わなかった場合や偽造貨幣を用いて価値加算が行われた場合にも、価値加算処理と精算処理とに供された遊技用価値の大きさが同じである遊技者特定記録媒体が自動的に抽出されて出力されるようになるため、通常の遊技への使用とは異なり、不正に価値加算処理及び精算処理が実施された可能性のある遊技者特定記録媒体を簡便に特定することができる。
【手続補正５】
【補正対象書類名】明細書
【補正対象項目名】００１２
【補正方法】変更
【補正の内容】
【００１２】
本発明の請求項３に記載の遊技用システムは、
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記精算装置と通信可能であって、前記精算処理に関する情報を収集・管理する管理装置と、
から成る遊技用システムにおいて、
前記価値加算装置は、当該価値加算装置が設けられる遊技場の営業中に、前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段を有し、
前記配線異常検出手段は、前記配線異常を検出した場合に、その旨を報知するための処理を行い、
前記精算装置は、前記精算処理の対象となる遊技者特定記録媒体の遊技者特定情報を含む精算情報を前記管理装置に送信する精算情報送信手段を有し、
前記管理装置は、
前記精算情報送信手段から送信されてきた前記精算情報に基づいて、遊技者特定情報と、精算処理の実施時刻とを含む精算履歴を管理する精算履歴管理手段と、
該精算履歴に基づいて、同一遊技者特定情報において、所定期間内に前記精算処理が所定回数以上行われた遊技者特定情報を抽出する抽出処理を行う抽出処理手段と、
該抽出処理手段による抽出結果を出力する出力手段と、
を有することを特徴としている。
この特徴によれば、価値加算装置において、遊技場の営業中に配線異常判定が実施され、配線異常が検出された場合にその旨が報知されるので、貨幣額送信線の組み替え等の不正配線等を早期に発見して適切な処置を行うことができるばかりか、不正配線等に対する適切な処置が間に合わなかった場合や偽造貨幣を用いて価値加算が行われた場合にも、所定期間内に前記精算処理が所定回数以上行われた遊技者特定記録媒体が自動的に抽出されて出力されるようになるため、通常の遊技への使用とは異なり、不正に価値加算処理及び精算処理が実施された可能性のある遊技者特定記録媒体を簡便に特定することができる。
【手続補正６】
【補正対象書類名】明細書
【補正対象項目名】００１３
【補正方法】変更
【補正の内容】
【００１３】
本発明の請求項４に記載の遊技用システムは、
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、
から成る遊技用システムにおいて、
前記価値加算装置は、
前記貨幣額送信線の配線異常判定を実施する旨の判定実施信号を前記貨幣額送信手段に対して送信する配線異常検出手段と、
前記価値加算処理の対象となる遊技者特定記録媒体の遊技者特定情報を含む価値加算情報を前記管理装置に送信する価値加算情報送信手段と、
を有し、
前記貨幣額送信手段は、該配線異常検出手段から送信された判定実施信号に応じて各貨幣額送信線より順に応答信号を送信し、
前記配線異常検出手段は、各貨幣額送信線より順に送信される前記応答信号の正規の受信順序を記憶しており、該各貨幣額送信線より順に送信されてくる前記応答信号の受信に基づいて前記配線異常判定を実施して、該応答信号の受信順序と前記正規の受信順序とが異なる場合に配線異常と検出し、該配線異常を検出した場合に、その旨を報知するための処理を行い、
前記精算装置は、前記精算処理の対象となる遊技者特定記録媒体の遊技者特定情報を含む精算情報を前記管理装置に送信する精算情報送信手段を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理の実施時刻とを含む遊技者特定記録媒体の処理履歴を管理する処理履歴管理手段と、
該処理履歴に基づいて、同一遊技者特定情報において価値加算処理と精算処理が行われた間の時間差を算出し、該算出した時間差が予め定められた所定時間差以内である遊技者特定情報を抽出する抽出処理を行う抽出処理手段と、
該抽出処理手段による抽出結果を出力する出力手段と、
を有することを特徴としている。
この特徴によれば、価値加算装置において、各貨幣額送信線より順に送信されてくる応答信号の受信順序を確認することにより配線異常が検出され、配線異常が検出された場合にその旨が報知されるので、貨幣額送信線の組み替え等の不正配線等を早期に発見して適切な処置を行うことができるばかりか、不正配線等に対する適切な処置が間に合わなかった場合や偽造貨幣を用いて価値加算が行われた場合にも、価値加算処理が実施された後、短時間にて精算処理がなされた遊技者特定記録媒体が自動的に抽出されて出力されるようになるため、通常の遊技への使用とは異なり、不正に価値加算処理及び精算処理が実施された可能性のある遊技者特定記録媒体を簡便に特定することができる。
本発明の請求項５に記載の遊技用システムは、
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、
から成る遊技用システムにおいて、
前記価値加算装置は、
前記貨幣額送信線の配線異常判定を実施する旨の判定実施信号を前記貨幣額送信手段に対して送信する配線異常検出手段と、
前記価値加算処理の対象となる遊技者特定記録媒体の遊技者特定情報と、該価値加算処理に供される遊技用価値の大きさを特定可能な情報とを含む価値加算情報を前記管理装置に送信する価値加算情報送信手段と、
を有し、
前記貨幣額送信手段は、該配線異常検出手段から送信された判定実施信号に応じて各貨幣額送信線より順に応答信号を送信し、
前記配線異常検出手段は、各貨幣額送信線より順に送信される前記応答信号の正規の受信順序を記憶しており、該各貨幣額送信線より順に送信されてくる前記応答信号の受信に基づいて前記配線異常判定を実施して、該応答信号の受信順序と前記正規の受信順序とが異なる場合に配線異常と検出し、該配線異常を検出した場合に、その旨を報知するための処理を行い、
前記精算装置は、前記精算処理の対象となる遊技者特定記録媒体の遊技者特定情報と、該精算処理に供される遊技用価値の大きさを特定可能な情報とを含む精算情報を前記管理装置に送信する精算情報送信手段を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理に供された遊技用価値の大きさとを含む遊技者特定記録媒体の処理履歴を管理する処理履歴管理手段と、
該処理履歴に基づいて、同一遊技者特定情報において価値加算処理に供された遊技用価値の大きさと精算処理に供された遊技用価値の大きさが同じである遊技者特定情報を抽出する抽出処理を行う抽出処理手段と、
該抽出処理手段による抽出結果を出力する出力手段と、
を有することを特徴としている。
この特徴によれば、価値加算装置において、各貨幣額送信線より順に送信されてくる応答信号の受信順序を確認することにより配線異常が検出され、配線異常が検出された場合にその旨が報知されるので、貨幣額送信線の組み替え等の不正配線等を早期に発見して適切な処置を行うことができるばかりか、不正配線等に対する適切な処置が間に合わなかった場合や偽造貨幣を用いて価値加算が行われた場合にも、価値加算処理と精算処理とに供された遊技用価値の大きさが同じである遊技者特定記録媒体が自動的に抽出されて出力されるようになるため、通常の遊技への使用とは異なり、不正に価値加算処理及び精算処理が実施された可能性のある遊技者特定記録媒体を簡便に特定することができる。
本発明の請求項６に記載の遊技用システムは、
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記精算装置と通信可能であって、前記精算処理に関する情報を収集・管理する管理装置と、
から成る遊技用システムにおいて、
前記価値加算装置は、前記貨幣額送信線の配線異常判定を実施する旨の判定実施信号を前記貨幣額送信手段に対して送信する配線異常検出手段を有し、
前記貨幣額送信手段は、該配線異常検出手段から送信された判定実施信号に応じて各貨幣額送信線より順に応答信号を送信し、
前記配線異常検出手段は、各貨幣額送信線より順に送信される前記応答信号の正規の受信順序を記憶しており、該各貨幣額送信線より順に送信されてくる前記応答信号の受信に基づいて前記配線異常判定を実施して、該応答信号の受信順序と前記正規の受信順序とが異なる場合に配線異常と検出し、該配線異常を検出した場合に、その旨を報知するための処理を行い、
前記精算装置は、前記精算処理の対象となる遊技者特定記録媒体の遊技者特定情報を含む精算情報を前記管理装置に送信する精算情報送信手段を有し、
前記管理装置は、
前記精算情報送信手段から送信されてきた前記精算情報に基づいて、遊技者特定情報と、精算処理の実施時刻とを含む精算履歴を管理する精算履歴管理手段と、
該精算履歴に基づいて、同一遊技者特定情報において、所定期間内に前記精算処理が所定回数以上行われた遊技者特定情報を抽出する抽出処理を行う抽出処理手段と、
該抽出処理手段による抽出結果を出力する出力手段と、
を有することを特徴としている。
この特徴によれば、価値加算装置において、各貨幣額送信線より順に送信されてくる応答信号の受信順序を確認することにより配線異常が検出され、配線異常が検出された場合にその旨が報知されるので、貨幣額送信線の組み替え等の不正配線等を早期に発見して適切な処置を行うことができるばかりか、不正配線等に対する適切な処置が間に合わなかった場合や偽造貨幣を用いて価値加算が行われた場合にも、所定期間内に前記精算処理が所定回数以上行われた遊技者特定記録媒体が自動的に抽出されて出力されるようになるため、通常の遊技への使用とは異なり、不正に価値加算処理及び精算処理が実施された可能性のある遊技者特定記録媒体を簡便に特定することができる。
【手続補正７】
【補正対象書類名】明細書
【補正対象項目名】００１４
【補正方法】変更
【補正の内容】
【００１４】
本発明の請求項７に記載の遊技用システムは、
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、
から成る遊技用システムにおいて、
前記価値加算装置は、
前記貨幣額送信線の配線異常判定を実施する旨の判定実施信号を前記貨幣額送信手段に対して送信する配線異常検出手段と、
前記価値加算処理の対象となる遊技者特定記録媒体の遊技者特定情報を含む価値加算情報を前記管理装置に送信する価値加算情報送信手段と、
を有し、
前記貨幣額送信手段は、該配線異常検出手段から送信された判定実施信号に応じて各貨幣額送信線より順に、かつ所定時間間隔で応答信号を送信し、
前記配線異常検出手段は、各貨幣額送信線より順に送信されてくる前記応答信号の受信に基づいて前記配線異常判定を実施して、同時期に複数の応答信号を受信した場合に配線異常と検出し、該配線異常を検出した場合に、その旨を報知するための処理を行い、
前記精算装置は、前記精算処理の対象となる遊技者特定記録媒体の遊技者特定情報を含む精算情報を前記管理装置に送信する精算情報送信手段を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理の実施時刻とを含む遊技者特定記録媒体の処理履歴を管理する処理履歴管理手段と、
該処理履歴に基づいて、同一遊技者特定情報において価値加算処理と精算処理が行われた間の時間差を算出し、該算出した時間差が予め定められた所定時間差以内である遊技者特定情報を抽出する抽出処理を行う抽出処理手段と、
該抽出処理手段による抽出結果を出力する出力手段と、
を有することを特徴としている。
この特徴によれば、価値加算装置において、各貨幣額送信線より所定時間間隔で順に送信されてくる応答信号を同時期に複数受信した場合に配線異常が検出され、配線異常が検出された場合にその旨が報知されるので、貨幣額送信線の組み替え等の不正配線等を早期に発見して適切な処置を行うことができるばかりか、不正配線等に対する適切な処置が間に合わなかった場合や偽造貨幣を用いて価値加算が行われた場合にも、価値加算処理が実施された後、短時間にて精算処理がなされた遊技者特定記録媒体が自動的に抽出されて出力されるようになるため、通常の遊技への使用とは異なり、不正に価値加算処理及び精算処理が実施された可能性のある遊技者特定記録媒体を簡便に特定することができる。
本発明の請求項８に記載の遊技用システムは、
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、
から成る遊技用システムにおいて、
前記価値加算装置は、
前記貨幣額送信線の配線異常判定を実施する旨の判定実施信号を前記貨幣額送信手段に対して送信する配線異常検出手段と、
前記価値加算処理の対象となる遊技者特定記録媒体の遊技者特定情報と、該価値加算処理に供される遊技用価値の大きさを特定可能な情報とを含む価値加算情報を前記管理装置に送信する価値加算情報送信手段と、
を有し、
前記貨幣額送信手段は、該配線異常検出手段から送信された判定実施信号に応じて各貨幣額送信線より順に、かつ所定時間間隔で応答信号を送信し、
前記配線異常検出手段は、各貨幣額送信線より順に送信されてくる前記応答信号の受信に基づいて前記配線異常判定を実施して、同時期に複数の応答信号を受信した場合に配線異常と検出し、該配線異常を検出した場合に、その旨を報知するための処理を行い、
前記精算装置は、前記精算処理の対象となる遊技者特定記録媒体の遊技者特定情報と、該精算処理に供される遊技用価値の大きさを特定可能な情報とを含む精算情報を前記管理装置に送信する精算情報送信手段を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理に供された遊技用価値の大きさとを含む遊技者特定記録媒体の処理履歴を管理する処理履歴管理手段と、
該処理履歴に基づいて、同一遊技者特定情報において価値加算処理に供された遊技用価値の大きさと精算処理に供された遊技用価値の大きさが同じである遊技者特定情報を抽出する抽出処理を行う抽出処理手段と、
該抽出処理手段による抽出結果を出力する出力手段と、
を有することを特徴としている。
この特徴によれば、価値加算装置において、各貨幣額送信線より所定時間間隔で順に送信されてくる応答信号を同時期に複数受信した場合に配線異常が検出され、配線異常が検出された場合にその旨が報知されるので、貨幣額送信線の組み替え等の不正配線等を早期に発見して適切な処置を行うことができるばかりか、不正配線等に対する適切な処置が間に合わなかった場合や偽造貨幣を用いて価値加算が行われた場合にも、価値加算処理と精算処理とに供された遊技用価値の大きさが同じである遊技者特定記録媒体が自動的に抽出されて出力されるようになるため、通常の遊技への使用とは異なり、不正に価値加算処理及び精算処理が実施された可能性のある遊技者特定記録媒体を簡便に特定することができる。
本発明の請求項９に記載の遊技用システムは、
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記精算装置と通信可能であって、前記精算処理に関する情報を収集・管理する管理装置と、
から成る遊技用システムにおいて、
前記価値加算装置は、前記貨幣額送信線の配線異常判定を実施する旨の判定実施信号を前記貨幣額送信手段に対して送信する配線異常検出手段を有し、
前記貨幣額送信手段は、該配線異常検出手段から送信された判定実施信号に応じて各貨幣額送信線より順に、かつ所定時間間隔で応答信号を送信し、
前記配線異常検出手段は、各貨幣額送信線より順に送信されてくる前記応答信号の受信に基づいて前記配線異常判定を実施して、同時期に複数の応答信号を受信した場合に配線異常と検出し、該配線異常を検出した場合に、その旨を報知するための処理を行い、
前記精算装置は、前記精算処理の対象となる遊技者特定記録媒体の遊技者特定情報を含む精算情報を前記管理装置に送信する精算情報送信手段を有し、
前記管理装置は、
前記精算情報送信手段から送信されてきた前記精算情報に基づいて、遊技者特定情報と、精算処理の実施時刻とを含む精算履歴を管理する精算履歴管理手段と、
該精算履歴に基づいて、同一遊技者特定情報において、所定期間内に前記精算処理が所定回数以上行われた遊技者特定情報を抽出する抽出処理を行う抽出処理手段と、
該抽出処理手段による抽出結果を出力する出力手段と、
を有することを特徴としている。
この特徴によれば、価値加算装置において、各貨幣額送信線より所定時間間隔で順に送信されてくる応答信号を同時期に複数受信した場合に配線異常が検出され、配線異常が検出された場合にその旨が報知されるので、貨幣額送信線の組み替え等の不正配線等を早期に発見して適切な処置を行うことができるばかりか、不正配線等に対する適切な処置が間に合わなかった場合や偽造貨幣を用いて価値加算が行われた場合にも、所定期間内に前記精算処理が所定回数以上行われた遊技者特定記録媒体が自動的に抽出されて出力されるようになるため、通常の遊技への使用とは異なり、不正に価値加算処理及び精算処理が実施された可能性のある遊技者特定記録媒体を簡便に特定することができる。
【手続補正８】
【補正対象書類名】明細書
【補正対象項目名】００１５
【補正方法】変更
【補正の内容】
【００１５】
本発明の請求項１０に記載の遊技用システムは、
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、
から成る遊技用システムにおいて、
前記価値加算装置は、
前記貨幣額送信線の配線異常判定を実施する旨の判定実施信号を前記貨幣額送信手段に対して送信する配線異常検出手段と、
前記価値加算処理の対象となる遊技者特定記録媒体の遊技者特定情報を含む価値加算情報を前記管理装置に送信する価値加算情報送信手段と、
を有し、
前記貨幣額送信手段は、該配線異常検出手段から送信された判定実施信号に応じて各貨幣額送信線より順に、かつ所定時間間隔で応答信号を送信し、
前記配線異常検出手段は、各貨幣額送信線より順に送信されてくる前記応答信号の受信に基づいて前記配線異常判定を実施して、該応答信号の受信間隔が許容時間内であるか否かの確認を行い、該応答信号の受信間隔が許容時間内でない場合に配線異常と検出し、該配線異常を検出した場合に、その旨を報知するための処理を行い、
前記精算装置は、前記精算処理の対象となる遊技者特定記録媒体の遊技者特定情報を含む精算情報を前記管理装置に送信する精算情報送信手段を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理の実施時刻とを含む遊技者特定記録媒体の処理履歴を管理する処理履歴管理手段と、
該処理履歴に基づいて、同一遊技者特定情報において価値加算処理と精算処理が行われた間の時間差を算出し、該算出した時間差が予め定められた所定時間差以内である遊技者特定情報を抽出する抽出処理を行う抽出処理手段と、
該抽出処理手段による抽出結果を出力する出力手段と、
を有することを特徴としている。
この特徴によれば、価値加算装置において、各貨幣額送信線より所定時間間隔で順に送信されてくる応答信号の受信間隔が許容時間内でない場合に配線異常が検出され、配線異常が検出された場合にその旨が報知されるので、貨幣額送信線の組み替え等の不正配線等を早期に発見して適切な処置を行うことができるばかりか、不正配線等に対する適切な処置が間に合わなかった場合や偽造貨幣を用いて価値加算が行われた場合にも、価値加算処理が実施された後、短時間にて精算処理がなされた遊技者特定記録媒体が自動的に抽出されて出力されるようになるため、通常の遊技への使用とは異なり、不正に価値加算処理及び精算処理が実施された可能性のある遊技者特定記録媒体を簡便に特定することができる。
本発明の請求項１１に記載の遊技用システムは、
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、
から成る遊技用システムにおいて、
前記価値加算装置は、
前記貨幣額送信線の配線異常判定を実施する旨の判定実施信号を前記貨幣額送信手段に対して送信する配線異常検出手段と、
前記価値加算処理の対象となる遊技者特定記録媒体の遊技者特定情報と、該価値加算処理に供される遊技用価値の大きさを特定可能な情報とを含む価値加算情報を前記管理装置に送信する価値加算情報送信手段と、
を有し、
前記貨幣額送信手段は、該配線異常検出手段から送信された判定実施信号に応じて各貨幣額送信線より順に、かつ所定時間間隔で応答信号を送信し、
前記配線異常検出手段は、各貨幣額送信線より順に送信されてくる前記応答信号の受信に基づいて前記配線異常判定を実施して、該応答信号の受信間隔が許容時間内であるか否かの確認を行い、該応答信号の受信間隔が許容時間内でない場合に配線異常と検出し、該配線異常を検出した場合に、その旨を報知するための処理を行い、
前記精算装置は、前記精算処理の対象となる遊技者特定記録媒体の遊技者特定情報と、該精算処理に供される遊技用価値の大きさを特定可能な情報とを含む精算情報を前記管理装置に送信する精算情報送信手段を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理に供された遊技用価値の大きさとを含む遊技者特定記録媒体の処理履歴を管理する処理履歴管理手段と、
該処理履歴に基づいて、同一遊技者特定情報において価値加算処理に供された遊技用価値の大きさと精算処理に供された遊技用価値の大きさが同じである遊技者特定情報を抽出する抽出処理を行う抽出処理手段と、
該抽出処理手段による抽出結果を出力する出力手段と、
を有することを特徴としている。
この特徴によれば、価値加算装置において、各貨幣額送信線より所定時間間隔で順に送信されてくる応答信号の受信間隔が許容時間内でない場合に配線異常が検出され、配線異常が検出された場合にその旨が報知されるので、貨幣額送信線の組み替え等の不正配線等を早期に発見して適切な処置を行うことができるばかりか、不正配線等に対する適切な処置が間に合わなかった場合や偽造貨幣を用いて価値加算が行われた場合にも、価値加算処理と精算処理とに供された遊技用価値の大きさが同じである遊技者特定記録媒体が自動的に抽出されて出力されるようになるため、通常の遊技への使用とは異なり、不正に価値加算処理及び精算処理が実施された可能性のある遊技者特定記録媒体を簡便に特定することができる。
本発明の請求項１２に記載の遊技用システムは、
遊技者を個々に特定可能な遊技者特定情報及び遊技に使用可能な遊技用価値の大きさを特定可能な遊技用価値特定情報が記録された遊技者特定記録媒体を受付ける記録媒体受付手段と、
複数金種の貨幣を識別する貨幣識別手段と、
該複数金種の貨幣額に対応する貨幣額送信線を通じて前記貨幣識別手段にて識別された貨幣額を示す信号を送信する貨幣額送信手段と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理を行う価値加算処理手段と、
を有する価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記精算装置と通信可能であって、前記精算処理に関する情報を収集・管理する管理装置と、
から成る遊技用システムにおいて、
前記価値加算装置は、前記貨幣額送信線の配線異常判定を実施する旨の判定実施信号を前記貨幣額送信手段に対して送信する配線異常検出手段を有し、
前記貨幣額送信手段は、該配線異常検出手段から送信された判定実施信号に応じて各貨幣額送信線より順に、かつ所定時間間隔で応答信号を送信し、
前記配線異常検出手段は、各貨幣額送信線より順に送信されてくる前記応答信号の受信に基づいて前記配線異常判定を実施して、該応答信号の受信間隔が許容時間内であるか否かの確認を行い、該応答信号の受信間隔が許容時間内でない場合に配線異常と検出し、該配線異常を検出した場合に、その旨を報知するための処理を行い、
前記精算装置は、前記精算処理の対象となる遊技者特定記録媒体の遊技者特定情報を含む精算情報を前記管理装置に送信する精算情報送信手段を有し、
前記管理装置は、
前記精算情報送信手段から送信されてきた前記精算情報に基づいて、遊技者特定情報と、精算処理の実施時刻とを含む精算履歴を管理する精算履歴管理手段と、
該精算履歴に基づいて、同一遊技者特定情報において、所定期間内に前記精算処理が所定回数以上行われた遊技者特定情報を抽出する抽出処理を行う抽出処理手段と、
該抽出処理手段による抽出結果を出力する出力手段と、
を有することを特徴としている。
この特徴によれば、価値加算装置において、各貨幣額送信線より所定時間間隔で順に送信されてくる応答信号の受信間隔が許容時間内でない場合に配線異常が検出され、配線異常が検出された場合にその旨が報知されるので、貨幣額送信線の組み替え等の不正配線等を早期に発見して適切な処置を行うことができるばかりか、不正配線等に対する適切な処置が間に合わなかった場合や偽造貨幣を用いて価値加算が行われた場合にも、所定期間内に前記精算処理が所定回数以上行われた遊技者特定記録媒体が自動的に抽出されて出力されるようになるため、通常の遊技への使用とは異なり、不正に価値加算処理及び精算処理が実施された可能性のある遊技者特定記録媒体を簡便に特定することができる。
【手続補正９】
【補正対象書類名】明細書
【補正対象項目名】００１６
【補正方法】変更
【補正の内容】
【００１６】
本発明の請求項１３に記載の遊技用システムは、請求項１ないし１２のいずれかに記載の遊技用システムであって、
前記管理装置は、
前記抽出結果に含まれる遊技者特定情報を不正の可能性がある遊技者特定情報として登録するとともに、前記不正の可能性のある遊技者特定情報として登録されている遊技者特定情報について、該遊技者特定情報が該当する遊技者特定記録媒体の使用を不可とするための無効情報を受付けて、該無効情報に該当する遊技者特定情報を無効遊技者特定情報として登録する登録手段と、
該登録情報に基づいて前記価値加算処理と精算処理において各処理の対象となる遊技者特定記録媒体の使用の可否を判定する可否判定処理を行う可否判定処理手段と、
を有することを特徴としている。
この特徴によれば、一度抽出された遊技者特定記録媒体を登録しておくことで、新たに抽出された遊技者特定記録媒体とこれら登録されている遊技者特定記録媒体とを照合することができ、これら照合結果を不正な会員遊技者の特定に役立てることができるとともに、不正の可能性のある遊技者特定記録媒体として登録されている遊技者特定記録媒体が、不正な会員遊技者の遊技者特定記録媒体であると断定できた場合等において、その遊技者特定記録媒体の使用を不可とすることで、該遊技者特定記録媒体を使用した不正を防止できる。
【手続補正１０】
【補正対象書類名】明細書
【補正対象項目名】００１７
【補正方法】変更
【補正の内容】
【００１７】
本発明の請求項１４に記載の遊技用システムは、請求項１ないし１３のいずれかに記載の遊技用システムであって、
前記価値加算装置並びに前記精算装置には、各装置を識別可能な識別情報が付与され、
前記価値加算情報或いは前記精算情報は該識別情報を含むとともに、
前記処理履歴或いは精算履歴は、処理を実施した装置の識別情報を含み、
前記抽出処理手段は、前記抽出した遊技者特定情報について当日の処理履歴或いは精算履歴を抽出し、
前記出力手段は、該抽出結果を出力する
ことを特徴としている。
この特徴によれば、その当日において、不正の可能性のある会員カードが使用された装置と該装置における価値加算金額等を確認できるようになり、これらの内容とその装置における実際の入金状況とを比較することで、抽出された遊技者特定記録媒体が不正に使用されたか否かを判定できる。
【手続補正１１】
【補正対象書類名】明細書
【補正対象項目名】０２１７
【補正方法】変更
【補正の内容】
【０２１７】
本発明の請求項１は、
遊技者を個々に特定可能な遊技者特定情報（会員ＩＤ、会員カードＩＤ）及び遊技に使用可能な遊技用価値（度数）の大きさを特定可能な遊技用価値特定情報（入金ＩＤ）が記録された遊技者特定記録媒体（会員カード３７）を受付ける記録媒体受付手段（カードリーダライタ３２７）と、
複数金種の貨幣を識別する貨幣識別手段（貨幣識別ユニット３２２）と、
該複数金種（千円、二千円、五千円、一万円）の貨幣額に対応する貨幣額送信線（３５１ｃ〜３５１ｆ）を通じて前記貨幣識別手段にて識別された貨幣額を示す信号を送信する貨幣額送信手段（貨幣額通信部３５０）と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理（入金処理）を行う価値加算処理手段と、
を有する価値加算装置（カードユニット３、入金装置２１）と、
前記遊技者特定記録媒体を受付けて、該受付けた遊技者特定記録媒体の遊技用価値特定情報から特定される遊技用価値の大きさに相当する金額の貨幣を払出す精算処理を行う精算装置（２２）と、
少なくとも前記価値加算装置並びに前記精算装置と通信可能であって、前記価値加算処理並びに精算処理に関する情報を収集・管理する管理装置（システムコントローラ１００）と、
から成る遊技用システムにおいて、
前記価値加算装置は、
当該価値加算装置が設けられる遊技場の営業中に、前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段（制御ユニット３２８）と、
前記価値加算処理の対象となる遊技者特定記録媒体の遊技者特定情報（会員ＩＤ、会員カードＩＤ）を含む価値加算情報（入金情報）を前記管理装置に送信する価値加算情報送信手段（制御基板３２７ｂ）と、
を有し、
前記配線異常検出手段は、前記配線異常を検出した場合に、その旨を報知するための処理を行い、
前記精算装置は、前記精算処理の対象となる遊技者特定記録媒体の遊技者特定情報（会員ＩＤ、会員カードＩＤ）を含む精算情報を前記管理装置に送信する精算情報送信手段（通信部４２２）を有し、
前記管理装置は、前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理の実施時刻とを含む遊技者特定記録媒体の処理履歴を管理する処理履歴管理手段（ＣＰＵ１０２）と、
該処理履歴に基づいて、同一遊技者特定情報（会員ＩＤ、会員カードＩＤ）において価値加算処理（入金処理）と精算処理が行われた間の時間差を算出し、該算出した時間差が予め定められた所定時間差（５分）以内である遊技者特定情報（会員ＩＤ、会員カードＩＤ）を抽出する抽出処理を行う抽出処理手段（ＣＰＵ１０２）と、
該抽出処理手段による抽出結果を出力する出力手段（表示装置１０７、プリンタ１０８）と、
を有する。
【手続補正１２】
【補正対象書類名】明細書
【補正対象項目名】０２１８
【補正方法】変更
【補正の内容】
【０２１８】
本発明の請求項２は、
遊技者を個々に特定可能な遊技者特定情報（会員ＩＤ、会員カードＩＤ）及び遊技に使用可能な遊技用価値（度数）の大きさを特定可能な遊技用価値特定情報（入金ＩＤ）が記録された遊技者特定記録媒体（会員カード３７）を受付ける記録媒体受付手段（カードリーダライタ３２７）と、
複数金種の貨幣を識別する貨幣識別手段（貨幣識別ユニット３２２）と、該複数金種（千円、二千円、五千円、一万円）の貨幣額に対応する貨幣額送信線（３５１ｃ〜３５１ｆ）を通じて前記貨幣識別手段にて識別された貨幣額を示す信号を送信する貨幣額送信手段（貨幣額通信部３５０）と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理（入金処理）を行う価値加算処理手段と、
を有する価値加算装置（カードユニット３、入金装置２１）と、
前記遊技者特定記録媒体を受付けて、該受付けた遊技者特定記録媒体の遊技用価値特定情報から特定される遊技用価値の大きさに相当する金額の貨幣を払出す精算処理を行う精算装置（２２）と、
少なくとも前記価値加算装置並びに前記精算装置と通信可能であって、前記価値加算処理並びに精算処理に関する情報を収集・管理する管理装置（システムコントローラ１００）と、
から成る遊技用システムにおいて、
前記価値加算装置は、
当該価値加算装置が設けられる遊技場の営業中に、前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段（制御ユニット３２８）と、
前記価値加算処理の対象となる遊技者特定記録媒体の遊技者特定情報（会員ＩＤ、会員カードＩＤ）と、該価値加算処理に供される遊技用価値の大きさを特定可能な情報（度数データ、入金ＩＤ）とを含む価値加算情報を前記管理装置に送信する価値加算情報送信手段（制御基板３２７ｂ）と、
を有し、
前記配線異常検出手段は、前記配線異常を検出した場合に、その旨を報知するための処理を行い、
前記精算装置は、前記精算処理の対象となる遊技者特定記録媒体の遊技者特定情報（会員ＩＤ、会員カードＩＤ）と、該精算処理に供される遊技用価値の大きさを特定可能な情報（度数データ、入金ＩＤ）とを含む精算情報を前記管理装置に送信する精算情報送信手段（通信部４２２）を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理に供された遊技用価値の大きさとを含む遊技者特定記録媒体の処理履歴を管理する処理履歴管理手段（ＣＰＵ１０２）と、
該処理履歴に基づいて、同一遊技者特定情報において価値加算処理に供された遊技用価値の大きさと精算処理に供された遊技用価値（度数）の大きさが同じである遊技者特定情報（会員ＩＤ、会員カードＩＤ）を抽出する抽出処理を行う抽出処理手段（ＣＰＵ１０２）と、
該抽出処理手段による抽出結果を出力する出力手段（表示装置１０７、プリンタ１０８）と、
を有する。
【手続補正１３】
【補正対象書類名】明細書
【補正対象項目名】０２１９
【補正方法】変更
【補正の内容】
【０２１９】
本発明の請求項３は、
遊技者を個々に特定可能な遊技者特定情報（会員ＩＤ、会員カードＩＤ）及び遊技に使用可能な遊技用価値（度数）の大きさを特定可能な遊技用価値特定情報（入金ＩＤ）が記録された遊技者特定記録媒体（会員カード３７）を受付ける記録媒体受付手段（カードリーダライタ３２７）と、
複数金種の貨幣を識別する貨幣識別手段（貨幣識別ユニット３２２）と、該複数金種（千円、二千円、五千円、一万円）の貨幣額に対応する貨幣額送信線（３５１ｃ〜３５１ｆ）を通じて前記貨幣識別手段にて識別された貨幣額を示す信号を送信する貨幣額送信手段（貨幣額通信部３５０）と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理（入金処理）を行う価値加算処理手段と、
を有する価値加算装置（カードユニット３、入金装置２１）と、
前記遊技者特定記録媒体を受付けて、該受付けた遊技者特定記録媒体の遊技用価値特定情報から特定される遊技用価値の大きさに相当する金額の貨幣を払出す精算処理を行う精算装置（２２）と、
少なくとも前記精算装置と通信可能であって、前記精算処理に関する情報を収集・管理する管理装置（システムコントローラ１００）と、
から成る遊技用システムにおいて、
前記価値加算装置は、当該価値加算装置が設けられる遊技場の営業中に、前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段（制御ユニット３２８）を有し、
前記配線異常検出手段は、前記配線異常を検出した場合に、その旨を報知するための処理を行い、
前記精算装置は、前記精算処理の対象となる遊技者特定記録媒体の遊技者特定情報（会員ＩＤ、会員カードＩＤ）を含む精算情報を前記管理装置に送信する精算情報送信手段（通信部４２２）を有し、
前記管理装置は、
前記精算情報送信手段から送信されてきた前記精算情報に基づいて、遊技者特定情報と、精算処理の実施時刻とを含む精算履歴を管理する精算履歴管理手段（ＣＰＵ１０２）と、
該精算履歴に基づいて、同一遊技者特定情報において、所定期間内に前記精算処理が所定回数（３回）以上行われた遊技者特定情報を抽出する抽出処理を行う抽出処理手段（ＣＰＵ１０２）と、
該抽出処理手段による抽出結果を出力する出力手段（表示装置１０７、プリンタ１０８）と、
を有する。
【手続補正１４】
【補正対象書類名】明細書
【補正対象項目名】０２２０
【補正方法】変更
【補正の内容】
【０２２０】
本発明の請求項４は、
遊技者を個々に特定可能な遊技者特定情報（会員ＩＤ、会員カードＩＤ）及び遊技に使用可能な遊技用価値（度数）の大きさを特定可能な遊技用価値特定情報（入金ＩＤ）が記録された遊技者特定記録媒体（会員カード３７）を受付ける記録媒体受付手段（カードリーダライタ３２７）と、
複数金種の貨幣を識別する貨幣識別手段（貨幣識別ユニット３２２）と、
該複数金種（千円、二千円、五千円、一万円）の貨幣額に対応する貨幣額送信線（３５１ｃ〜３５１ｆ）を通じて前記貨幣識別手段にて識別された貨幣額を示す信号を送信する貨幣額送信手段（貨幣額通信部３５０）と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理（入金処理）を行う価値加算処理手段と、
を有する価値加算装置（カードユニット３、入金装置２１）と、
前記遊技者特定記録媒体を受付けて、該受付けた遊技者特定記録媒体の遊技用価値特定情報から特定される遊技用価値の大きさに相当する金額の貨幣を払出す精算処理を行う精算装置（２２）と、
少なくとも前記価値加算装置並びに前記精算装置と通信可能であって、前記価値加算処理並びに精算処理に関する情報を収集・管理する管理装置（システムコントローラ１００）と、
から成る遊技用システムにおいて、
前記価値加算装置は、
前記貨幣額送信線の配線異常判定を実施する旨の判定実施信号を前記貨幣額送信手段に対して送信する配線異常検出手段（制御ユニット３２８）と、
前記価値加算処理の対象となる遊技者特定記録媒体の遊技者特定情報（会員ＩＤ、会員カードＩＤ）を含む価値加算情報（入金情報）を前記管理装置に送信する価値加算情報送信手段（制御基板３２７ｂ）と、
を有し、
前記貨幣額送信手段（貨幣額通信部３５０）は、該配線異常検出手段（制御ユニット３２８）から送信された判定実施信号に応じて各貨幣額送信線（３５１ｃ〜３５１ｆ）より順に応答信号を送信し、
前記配線異常検出手段（制御ユニット３２８）は、各貨幣額送信線（３５１ｃ〜３５１ｆ）より順に送信される前記応答信号の正規の受信順序を記憶しており、該各貨幣額送信線（３５１ｃ〜３５１ｆ）より順に送信されてくる前記応答信号の受信に基づいて前記配線異常判定を実施して、該応答信号の受信順序と前記正規の受信順序とが異なる場合に配線異常と検出し、該配線異常を検出した場合に、その旨を報知するための処理を行い、
前記精算装置は、前記精算処理の対象となる遊技者特定記録媒体の遊技者特定情報（会員ＩＤ、会員カードＩＤ）を含む精算情報を前記管理装置に送信する精算情報送信手段（通信部４２２）を有し、
前記管理装置は、前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理の実施時刻とを含む遊技者特定記録媒体の処理履歴を管理する処理履歴管理手段（ＣＰＵ１０２）と、
該処理履歴に基づいて、同一遊技者特定情報（会員ＩＤ、会員カードＩＤ）において価値加算処理（入金処理）と精算処理が行われた間の時間差を算出し、該算出した時間差が予め定められた所定時間差（５分）以内である遊技者特定情報（会員ＩＤ、会員カードＩＤ）を抽出する抽出処理を行う抽出処理手段（ＣＰＵ１０２）と、
該抽出処理手段による抽出結果を出力する出力手段（表示装置１０７、プリンタ１０８）と、
を有する。
本発明の請求項５は、
遊技者を個々に特定可能な遊技者特定情報（会員ＩＤ、会員カードＩＤ）及び遊技に使用可能な遊技用価値（度数）の大きさを特定可能な遊技用価値特定情報（入金ＩＤ）が記録された遊技者特定記録媒体（会員カード３７）を受付ける記録媒体受付手段（カードリーダライタ３２７）と、
複数金種の貨幣を識別する貨幣識別手段（貨幣識別ユニット３２２）と、該複数金種（千円、二千円、五千円、一万円）の貨幣額に対応する貨幣額送信線（３５１ｃ〜３５１ｆ）を通じて前記貨幣識別手段にて識別された貨幣額を示す信号を送信する貨幣額送信手段（貨幣額通信部３５０）と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理（入金処理）を行う価値加算処理手段と、
を有する価値加算装置（カードユニット３、入金装置２１）と、
前記遊技者特定記録媒体を受付けて、該受付けた遊技者特定記録媒体の遊技用価値特定情報から特定される遊技用価値の大きさに相当する金額の貨幣を払出す精算処理を行う精算装置（２２）と、
少なくとも前記価値加算装置並びに前記精算装置と通信可能であって、前記価値加算処理並びに精算処理に関する情報を収集・管理する管理装置（システムコントローラ１００）と、
から成る遊技用システムにおいて、
前記価値加算装置は、
前記貨幣額送信線の配線異常判定を実施する旨の判定実施信号を前記貨幣額送信手段に対して送信する配線異常検出手段（制御ユニット３２８）と、
前記価値加算処理の対象となる遊技者特定記録媒体の遊技者特定情報（会員ＩＤ、会員カードＩＤ）と、該価値加算処理に供される遊技用価値の大きさを特定可能な情報（度数データ、入金ＩＤ）とを含む価値加算情報を前記管理装置に送信する価値加算情報送信手段（制御基板３２７ｂ）と、
を有し、
前記貨幣額送信手段（貨幣額通信部３５０）は、該配線異常検出手段（制御ユニット３２８）から送信された判定実施信号に応じて各貨幣額送信線（３５１ｃ〜３５１ｆ）より順に応答信号を送信し、
前記配線異常検出手段（制御ユニット３２８）は、各貨幣額送信線（３５１ｃ〜３５１ｆ）より順に送信される前記応答信号の正規の受信順序を記憶しており、該各貨幣額送信線（３５１ｃ〜３５１ｆ）より順に送信されてくる前記応答信号の受信に基づいて前記配線異常判定を実施して、該応答信号の受信順序と前記正規の受信順序とが異なる場合に配線異常と検出し、該配線異常を検出した場合に、その旨を報知するための処理を行い、
前記精算装置は、前記精算処理の対象となる遊技者特定記録媒体の遊技者特定情報（会員ＩＤ、会員カードＩＤ）と、該精算処理に供される遊技用価値の大きさを特定可能な情報（度数データ、入金ＩＤ）とを含む精算情報を前記管理装置に送信する精算情報送信手段（通信部４２２）を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理に供された遊技用価値の大きさとを含む遊技者特定記録媒体の処理履歴を管理する処理履歴管理手段（ＣＰＵ１０２）と、
該処理履歴に基づいて、同一遊技者特定情報において価値加算処理に供された遊技用価値の大きさと精算処理に供された遊技用価値（度数）の大きさが同じである遊技者特定情報（会員ＩＤ、会員カードＩＤ）を抽出する抽出処理を行う抽出処理手段（ＣＰＵ１０２）と、
該抽出処理手段による抽出結果を出力する出力手段（表示装置１０７、プリンタ１０８）と、
を有する。
本発明の請求項６は、
遊技者を個々に特定可能な遊技者特定情報（会員ＩＤ、会員カードＩＤ）及び遊技に使用可能な遊技用価値（度数）の大きさを特定可能な遊技用価値特定情報（入金ＩＤ）が記録された遊技者特定記録媒体（会員カード３７）を受付ける記録媒体受付手段（カードリーダライタ３２７）と、
複数金種の貨幣を識別する貨幣識別手段（貨幣識別ユニット３２２）と、該複数金種（千円、二千円、五千円、一万円）の貨幣額に対応する貨幣額送信線（３５１ｃ〜３５１ｆ）を通じて前記貨幣識別手段にて識別された貨幣額を示す信号を送信する貨幣額送信手段（貨幣額通信部３５０）と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理（入金処理）を行う価値加算処理手段と、
を有する価値加算装置（カードユニット３、入金装置２１）と、
前記遊技者特定記録媒体を受付けて、該受付けた遊技者特定記録媒体の遊技用価値特定情報から特定される遊技用価値の大きさに相当する金額の貨幣を払出す精算処理を行う精算装置（２２）と、
少なくとも前記精算装置と通信可能であって、前記精算処理に関する情報を収集・管理する管理装置（システムコントローラ１００）と、
から成る遊技用システムにおいて、
前記価値加算装置は、前記貨幣額送信線の配線異常判定を実施する旨の判定実施信号を前記貨幣額送信手段に対して送信する配線異常検出手段（制御ユニット３２８）を有し、
前記貨幣額送信手段（貨幣額通信部３５０）は、該配線異常検出手段（制御ユニット３２８）から送信された判定実施信号に応じて各貨幣額送信線（３５１ｃ〜３５１ｆ）より順に応答信号を送信し、
前記配線異常検出手段（制御ユニット３２８）は、各貨幣額送信線（３５１ｃ〜３５１ｆ）より順に送信される前記応答信号の正規の受信順序を記憶しており、該各貨幣額送信線（３５１ｃ〜３５１ｆ）より順に送信されてくる前記応答信号の受信に基づいて前記配線異常判定を実施して、該応答信号の受信順序と前記正規の受信順序とが異なる場合に配線異常と検出し、該配線異常を検出した場合に、その旨を報知するための処理を行い、
前記精算装置は、前記精算処理の対象となる遊技者特定記録媒体の遊技者特定情報（会員ＩＤ、会員カードＩＤ）を含む精算情報を前記管理装置に送信する精算情報送信手段（通信部４２２）を有し、
前記管理装置は、
前記精算情報送信手段から送信されてきた前記精算情報に基づいて、遊技者特定情報と、精算処理の実施時刻とを含む精算履歴を管理する精算履歴管理手段（ＣＰＵ１０２）と、
該精算履歴に基づいて、同一遊技者特定情報において、所定期間内に前記精算処理が所定回数（３回）以上行われた遊技者特定情報を抽出する抽出処理を行う抽出処理手段（ＣＰＵ１０２）と、
該抽出処理手段による抽出結果を出力する出力手段（表示装置１０７、プリンタ１０８）と、
を有する。
【手続補正１５】
【補正対象書類名】明細書
【補正対象項目名】０２２１
【補正方法】変更
【補正の内容】
【０２２１】
本発明の請求項７は、
遊技者を個々に特定可能な遊技者特定情報（会員ＩＤ、会員カードＩＤ）及び遊技に使用可能な遊技用価値（度数）の大きさを特定可能な遊技用価値特定情報（入金ＩＤ）が記録された遊技者特定記録媒体（会員カード３７）を受付ける記録媒体受付手段（カードリーダライタ３２７）と、
複数金種の貨幣を識別する貨幣識別手段（貨幣識別ユニット３２２）と、
該複数金種（千円、二千円、五千円、一万円）の貨幣額に対応する貨幣額送信線（３５１ｃ〜３５１ｆ）を通じて前記貨幣識別手段にて識別された貨幣額を示す信号を送信する貨幣額送信手段（貨幣額通信部３５０）と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理（入金処理）を行う価値加算処理手段と、
を有する価値加算装置（カードユニット３、入金装置２１）と、
前記遊技者特定記録媒体を受付けて、該受付けた遊技者特定記録媒体の遊技用価値特定情報から特定される遊技用価値の大きさに相当する金額の貨幣を払出す精算処理を行う精算装置（２２）と、
少なくとも前記価値加算装置並びに前記精算装置と通信可能であって、前記価値加算処理並びに精算処理に関する情報を収集・管理する管理装置（システムコントローラ１００）と、
から成る遊技用システムにおいて、
前記価値加算装置は、
前記貨幣額送信線の配線異常判定を実施する旨の判定実施信号を前記貨幣額送信手段に対して送信する配線異常検出手段（制御ユニット３２８）と、
前記価値加算処理の対象となる遊技者特定記録媒体の遊技者特定情報（会員ＩＤ、会員カードＩＤ）を含む価値加算情報（入金情報）を前記管理装置に送信する価値加算情報送信手段（制御基板３２７ｂ）と、
を有し、
前記貨幣額送信手段（貨幣額通信部３５０）は、該配線異常検出手段から送信された判定実施信号に応じて各貨幣額送信線（３５１ｃ〜３５１ｆ）より順に、かつ所定時間間隔で応答信号を送信し、
前記配線異常検出手段（制御ユニット３２８）は、各貨幣額送信線（３５１ｃ〜３５１ｆ）より順に送信されてくる前記応答信号の受信に基づいて前記配線異常判定を実施して、同時期に複数の応答信号を受信した場合に配線異常と検出し、該配線異常を検出した場合に、その旨を報知するための処理を行い、
前記精算装置は、前記精算処理の対象となる遊技者特定記録媒体の遊技者特定情報（会員ＩＤ、会員カードＩＤ）を含む精算情報を前記管理装置に送信する精算情報送信手段（通信部４２２）を有し、
前記管理装置は、前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理の実施時刻とを含む遊技者特定記録媒体の処理履歴を管理する処理履歴管理手段（ＣＰＵ１０２）と、
該処理履歴に基づいて、同一遊技者特定情報（会員ＩＤ、会員カードＩＤ）において価値加算処理（入金処理）と精算処理が行われた間の時間差を算出し、該算出した時間差が予め定められた所定時間差（５分）以内である遊技者特定情報（会員ＩＤ、会員カードＩＤ）を抽出する抽出処理を行う抽出処理手段（ＣＰＵ１０２）と、
該抽出処理手段による抽出結果を出力する出力手段（表示装置１０７、プリンタ１０８）と、
を有する。
本発明の請求項８は、
遊技者を個々に特定可能な遊技者特定情報（会員ＩＤ、会員カードＩＤ）及び遊技に使用可能な遊技用価値（度数）の大きさを特定可能な遊技用価値特定情報（入金ＩＤ）が記録された遊技者特定記録媒体（会員カード３７）を受付ける記録媒体受付手段（カードリーダライタ３２７）と、
複数金種の貨幣を識別する貨幣識別手段（貨幣識別ユニット３２２）と、該複数金種（千円、二千円、五千円、一万円）の貨幣額に対応する貨幣額送信線（３５１ｃ〜３５１ｆ）を通じて前記貨幣識別手段にて識別された貨幣額を示す信号を送信する貨幣額送信手段（貨幣額通信部３５０）と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理（入金処理）を行う価値加算処理手段と、
を有する価値加算装置（カードユニット３、入金装置２１）と、
前記遊技者特定記録媒体を受付けて、該受付けた遊技者特定記録媒体の遊技用価値特定情報から特定される遊技用価値の大きさに相当する金額の貨幣を払出す精算処理を行う精算装置（２２）と、
少なくとも前記価値加算装置並びに前記精算装置と通信可能であって、前記価値加算処理並びに精算処理に関する情報を収集・管理する管理装置（システムコントローラ１００）と、
から成る遊技用システムにおいて、
前記価値加算装置は、
前記貨幣額送信線の配線異常判定を実施する旨の判定実施信号を前記貨幣額送信手段に対して送信する配線異常検出手段（制御ユニット３２８）と、
前記価値加算処理の対象となる遊技者特定記録媒体の遊技者特定情報（会員ＩＤ、会員カードＩＤ）と、該価値加算処理に供される遊技用価値の大きさを特定可能な情報（度数データ、入金ＩＤ）とを含む価値加算情報を前記管理装置に送信する価値加算情報送信手段（制御基板３２７ｂ）と、
を有し、
前記貨幣額送信手段（貨幣額通信部３５０）は、該配線異常検出手段から送信された判定実施信号に応じて各貨幣額送信線（３５１ｃ〜３５１ｆ）より順に、かつ所定時間間隔で応答信号を送信し、
前記配線異常検出手段（制御ユニット３２８）は、各貨幣額送信線（３５１ｃ〜３５１ｆ）より順に送信されてくる前記応答信号の受信に基づいて前記配線異常判定を実施して、同時期に複数の応答信号を受信した場合に配線異常と検出し、該配線異常を検出した場合に、その旨を報知するための処理を行い、
前記精算装置は、前記精算処理の対象となる遊技者特定記録媒体の遊技者特定情報（会員ＩＤ、会員カードＩＤ）と、該精算処理に供される遊技用価値の大きさを特定可能な情報（度数データ、入金ＩＤ）とを含む精算情報を前記管理装置に送信する精算情報送信手段（通信部４２２）を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理に供された遊技用価値の大きさとを含む遊技者特定記録媒体の処理履歴を管理する処理履歴管理手段（ＣＰＵ１０２）と、
該処理履歴に基づいて、同一遊技者特定情報において価値加算処理に供された遊技用価値の大きさと精算処理に供された遊技用価値（度数）の大きさが同じである遊技者特定情報（会員ＩＤ、会員カードＩＤ）を抽出する抽出処理を行う抽出処理手段（ＣＰＵ１０２）と、
該抽出処理手段による抽出結果を出力する出力手段（表示装置１０７、プリンタ１０８）と、
を有する。
本発明の請求項９は、
遊技者を個々に特定可能な遊技者特定情報（会員ＩＤ、会員カードＩＤ）及び遊技に使用可能な遊技用価値（度数）の大きさを特定可能な遊技用価値特定情報（入金ＩＤ）が記録された遊技者特定記録媒体（会員カード３７）を受付ける記録媒体受付手段（カードリーダライタ３２７）と、
複数金種の貨幣を識別する貨幣識別手段（貨幣識別ユニット３２２）と、該複数金種（千円、二千円、五千円、一万円）の貨幣額に対応する貨幣額送信線（３５１ｃ〜３５１ｆ）を通じて前記貨幣識別手段にて識別された貨幣額を示す信号を送信する貨幣額送信手段（貨幣額通信部３５０）と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理（入金処理）を行う価値加算処理手段と、
を有する価値加算装置（カードユニット３、入金装置２１）と、
前記遊技者特定記録媒体を受付けて、該受付けた遊技者特定記録媒体の遊技用価値特定情報から特定される遊技用価値の大きさに相当する金額の貨幣を払出す精算処理を行う精算装置（２２）と、
少なくとも前記精算装置と通信可能であって、前記精算処理に関する情報を収集・管理する管理装置（システムコントローラ１００）と、
から成る遊技用システムにおいて、
前記価値加算装置は、前記貨幣額送信線の配線異常判定を実施する旨の判定実施信号を前記貨幣額送信手段に対して送信する配線異常検出手段（制御ユニット３２８）を有し、
前記貨幣額送信手段（貨幣額通信部３５０）は、該配線異常検出手段から送信された判定実施信号に応じて各貨幣額送信線（３５１ｃ〜３５１ｆ）より順に、かつ所定時間間隔で応答信号を送信し、
前記配線異常検出手段（制御ユニット３２８）は、各貨幣額送信線（３５１ｃ〜３５１ｆ）より順に送信されてくる前記応答信号の受信に基づいて前記配線異常判定を実施して、同時期に複数の応答信号を受信した場合に配線異常と検出し、該配線異常を検出した場合に、その旨を報知するための処理を行い、
前記精算装置は、前記精算処理の対象となる遊技者特定記録媒体の遊技者特定情報（会員ＩＤ、会員カードＩＤ）を含む精算情報を前記管理装置に送信する精算情報送信手段（通信部４２２）を有し、
前記管理装置は、
前記精算情報送信手段から送信されてきた前記精算情報に基づいて、遊技者特定情報と、精算処理の実施時刻とを含む精算履歴を管理する精算履歴管理手段（ＣＰＵ１０２）と、
該精算履歴に基づいて、同一遊技者特定情報において、所定期間内に前記精算処理が所定回数（３回）以上行われた遊技者特定情報を抽出する抽出処理を行う抽出処理手段（ＣＰＵ１０２）と、
該抽出処理手段による抽出結果を出力する出力手段（表示装置１０７、プリンタ１０８）と、
を有する。
【手続補正１６】
【補正対象書類名】明細書
【補正対象項目名】０２２２
【補正方法】変更
【補正の内容】
【０２２２】
本発明の請求項１０は、
遊技者を個々に特定可能な遊技者特定情報（会員ＩＤ、会員カードＩＤ）及び遊技に使用可能な遊技用価値（度数）の大きさを特定可能な遊技用価値特定情報（入金ＩＤ）が記録された遊技者特定記録媒体（会員カード３７）を受付ける記録媒体受付手段（カードリーダライタ３２７）と、
複数金種の貨幣を識別する貨幣識別手段（貨幣識別ユニット３２２）と、
該複数金種（千円、二千円、五千円、一万円）の貨幣額に対応する貨幣額送信線（３５１ｃ〜３５１ｆ）を通じて前記貨幣識別手段にて識別された貨幣額を示す信号を送信する貨幣額送信手段（貨幣額通信部３５０）と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理（入金処理）を行う価値加算処理手段と、
を有する価値加算装置（カードユニット３、入金装置２１）と、
前記遊技者特定記録媒体を受付けて、該受付けた遊技者特定記録媒体の遊技用価値特定情報から特定される遊技用価値の大きさに相当する金額の貨幣を払出す精算処理を行う精算装置（２２）と、
少なくとも前記価値加算装置並びに前記精算装置と通信可能であって、前記価値加算処理並びに精算処理に関する情報を収集・管理する管理装置（システムコントローラ１００）と、
から成る遊技用システムにおいて、
前記価値加算装置は、
前記貨幣額送信線の配線異常判定を実施する旨の判定実施信号を前記貨幣額送信手段に対して送信する配線異常検出手段（制御ユニット３２８）と、
前記価値加算処理の対象となる遊技者特定記録媒体の遊技者特定情報（会員ＩＤ、会員カードＩＤ）を含む価値加算情報（入金情報）を前記管理装置に送信する価値加算情報送信手段（制御基板３２７ｂ）と、
を有し、
前記貨幣額送信手段（貨幣額通信部３５０）は、該配線異常検出手段から送信された判定実施信号に応じて各貨幣額送信線（３５１ｃ〜３５１ｆ）より順に、かつ所定時間間隔で応答信号を送信し、
前記配線異常検出手段（制御ユニット３２８）は、各貨幣額送信線（３５１ｃ〜３５１ｆ）より順に送信されてくる前記応答信号の受信に基づいて前記配線異常判定を実施して、該応答信号の受信間隔が許容時間内であるか否かの確認を行い、該応答信号の受信間隔が許容時間内でない場合に配線異常と検出し、該配線異常を検出した場合に、その旨を報知するための処理を行い、
前記精算装置は、前記精算処理の対象となる遊技者特定記録媒体の遊技者特定情報（会員ＩＤ、会員カードＩＤ）を含む精算情報を前記管理装置に送信する精算情報送信手段（通信部４２２）を有し、
前記管理装置は、前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理の実施時刻とを含む遊技者特定記録媒体の処理履歴を管理する処理履歴管理手段（ＣＰＵ１０２）と、
該処理履歴に基づいて、同一遊技者特定情報（会員ＩＤ、会員カードＩＤ）において価値加算処理（入金処理）と精算処理が行われた間の時間差を算出し、該算出した時間差が予め定められた所定時間差（５分）以内である遊技者特定情報（会員ＩＤ、会員カードＩＤ）を抽出する抽出処理を行う抽出処理手段（ＣＰＵ１０２）と、
該抽出処理手段による抽出結果を出力する出力手段（表示装置１０７、プリンタ１０８）と、
を有する。
本発明の請求項１１は、
遊技者を個々に特定可能な遊技者特定情報（会員ＩＤ、会員カードＩＤ）及び遊技に使用可能な遊技用価値（度数）の大きさを特定可能な遊技用価値特定情報（入金ＩＤ）が記録された遊技者特定記録媒体（会員カード３７）を受付ける記録媒体受付手段（カードリーダライタ３２７）と、
複数金種の貨幣を識別する貨幣識別手段（貨幣識別ユニット３２２）と、該複数金種（千円、二千円、五千円、一万円）の貨幣額に対応する貨幣額送信線（３５１ｃ〜３５１ｆ）を通じて前記貨幣識別手段にて識別された貨幣額を示す信号を送信する貨幣額送信手段（貨幣額通信部３５０）と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理（入金処理）を行う価値加算処理手段と、
を有する価値加算装置（カードユニット３、入金装置２１）と、
前記遊技者特定記録媒体を受付けて、該受付けた遊技者特定記録媒体の遊技用価値特定情報から特定される遊技用価値の大きさに相当する金額の貨幣を払出す精算処理を行う精算装置（２２）と、
少なくとも前記価値加算装置並びに前記精算装置と通信可能であって、前記価値加算処理並びに精算処理に関する情報を収集・管理する管理装置（システムコントローラ１００）と、
から成る遊技用システムにおいて、
前記価値加算装置は、
前記貨幣額送信線の配線異常判定を実施する旨の判定実施信号を前記貨幣額送信手段に対して送信する配線異常検出手段（制御ユニット３２８）と、
前記価値加算処理の対象となる遊技者特定記録媒体の遊技者特定情報（会員ＩＤ、会員カードＩＤ）と、該価値加算処理に供される遊技用価値の大きさを特定可能な情報（度数データ、入金ＩＤ）とを含む価値加算情報を前記管理装置に送信する価値加算情報送信手段（制御基板３２７ｂ）と、
を有し、
前記貨幣額送信手段（貨幣額通信部３５０）は、該配線異常検出手段から送信された判定実施信号に応じて各貨幣額送信線（３５１ｃ〜３５１ｆ）より順に、かつ所定時間間隔で応答信号を送信し、
前記配線異常検出手段（制御ユニット３２８）は、各貨幣額送信線（３５１ｃ〜３５１ｆ）より順に送信されてくる前記応答信号の受信に基づいて前記配線異常判定を実施して、該応答信号の受信間隔が許容時間内であるか否かの確認を行い、該応答信号の受信間隔が許容時間内でない場合に配線異常と検出し、該配線異常を検出した場合に、その旨を報知するための処理を行い、
前記精算装置は、前記精算処理の対象となる遊技者特定記録媒体の遊技者特定情報（会員ＩＤ、会員カードＩＤ）と、該精算処理に供される遊技用価値の大きさを特定可能な情報（度数データ、入金ＩＤ）とを含む精算情報を前記管理装置に送信する精算情報送信手段（通信部４２２）を有し、
前記管理装置は、
前記価値加算情報送信手段から送信されてきた前記価値加算情報並びに前記精算情報送信手段から送信されてきた前記精算情報とに基づいて、前記遊技者特定情報と、実施された処理が価値加算処理または精算処理であるかを示す処理種別と、処理に供された遊技用価値の大きさとを含む遊技者特定記録媒体の処理履歴を管理する処理履歴管理手段（ＣＰＵ１０２）と、
該処理履歴に基づいて、同一遊技者特定情報において価値加算処理に供された遊技用価値の大きさと精算処理に供された遊技用価値（度数）の大きさが同じである遊技者特定情報（会員ＩＤ、会員カードＩＤ）を抽出する抽出処理を行う抽出処理手段（ＣＰＵ１０２）と、
該抽出処理手段による抽出結果を出力する出力手段（表示装置１０７、プリンタ１０８）と、
を有する。
本発明の請求項１２は、
遊技者を個々に特定可能な遊技者特定情報（会員ＩＤ、会員カードＩＤ）及び遊技に使用可能な遊技用価値（度数）の大きさを特定可能な遊技用価値特定情報（入金ＩＤ）が記録された遊技者特定記録媒体（会員カード３７）を受付ける記録媒体受付手段（カードリーダライタ３２７）と、
複数金種の貨幣を識別する貨幣識別手段（貨幣識別ユニット３２２）と、該複数金種（千円、二千円、五千円、一万円）の貨幣額に対応する貨幣額送信線（３５１ｃ〜３５１ｆ）を通じて前記貨幣識別手段にて識別された貨幣額を示す信号を送信する貨幣額送信手段（貨幣額通信部３５０）と、
前記貨幣額送信手段から送信された貨幣額を示す信号から特定される貨幣額の範囲内における所定額に相当する遊技用価値の大きさを前記記録媒体受付手段にて受付けた遊技者特定記録媒体の遊技用価値特定情報から特定される遊技用価値の大きさに加算するための価値加算処理（入金処理）を行う価値加算処理手段と、
を有する価値加算装置（カードユニット３、入金装置２１）と、
前記遊技者特定記録媒体を受付けて、該受付けた遊技者特定記録媒体の遊技用価値特定情報から特定される遊技用価値の大きさに相当する金額の貨幣を払出す精算処理を行う精算装置（２２）と、
少なくとも前記精算装置と通信可能であって、前記精算処理に関する情報を収集・管理する管理装置（システムコントローラ１００）と、
から成る遊技用システムにおいて、
前記価値加算装置は、前記貨幣額送信線の配線異常判定を実施する旨の判定実施信号を前記貨幣額送信手段に対して送信する配線異常検出手段（制御ユニット３２８）を有し、
前記貨幣額送信手段（貨幣額通信部３５０）は、該配線異常検出手段から送信された判定実施信号に応じて各貨幣額送信線（３５１ｃ〜３５１ｆ）より順に、かつ所定時間間隔で応答信号を送信し、
前記配線異常検出手段（制御ユニット３２８）は、各貨幣額送信線（３５１ｃ〜３５１ｆ）より順に送信されてくる前記応答信号の受信に基づいて前記配線異常判定を実施して、該応答信号の受信間隔が許容時間内であるか否かの確認を行い、該応答信号の受信間隔が許容時間内でない場合に配線異常と検出し、該配線異常を検出した場合に、その旨を報知するための処理を行い、
前記精算装置は、前記精算処理の対象となる遊技者特定記録媒体の遊技者特定情報（会員ＩＤ、会員カードＩＤ）を含む精算情報を前記管理装置に送信する精算情報送信手段（通信部４２２）を有し、
前記管理装置は、
前記精算情報送信手段から送信されてきた前記精算情報に基づいて、遊技者特定情報と、精算処理の実施時刻とを含む精算履歴を管理する精算履歴管理手段（ＣＰＵ１０２）と、
該精算履歴に基づいて、同一遊技者特定情報において、所定期間内に前記精算処理が所定回数（３回）以上行われた遊技者特定情報を抽出する抽出処理を行う抽出処理手段（ＣＰＵ１０２）と、
該抽出処理手段による抽出結果を出力する出力手段（表示装置１０７、プリンタ１０８）と、
を有する。
【手続補正１７】
【補正対象書類名】明細書
【補正対象項目名】０２２３
【補正方法】変更
【補正の内容】
【０２２３】
本発明の請求項１３は、
前記管理装置（システムコントローラ１００）は、
前記抽出結果に含まれる遊技者特定情報（会員ＩＤ、会員カードＩＤ）を不正の可能性がある遊技者特定情報（グレー会員リスト）として登録するとともに、前記不正の可能性のある遊技者特定情報として登録されている遊技者特定情報について、該遊技者特定情報（会員ＩＤ、会員カードＩＤ）が該当する遊技者特定記録媒体（会員カード３７）の使用を不可とするための無効情報を受付けて、該無効情報に該当する遊技者特定情報を無効遊技者特定情報として登録（使用不可登録）する登録手段（ＣＰＵ１０２）と、
該登録情報に基づいて前記価値加算処理と精算処理において各処理の対象となる遊技者特定記録媒体の使用の可否を判定する可否判定処理（入金可否判定処理）を行う可否判定処理手段（ＣＰＵ１０２）と、
を有する。
【手続補正１８】
【補正対象書類名】明細書
【補正対象項目名】０２２４
【補正方法】変更
【補正の内容】
【０２２４】
本発明の請求項１４は、
前記価値加算装置（カードユニット３）並びに前記精算装置（２２）には、各装置を識別可能な識別情報（装置ＩＤ）が付与され、
前記価値加算情報或いは前記精算情報は該識別情報を含むとともに、
前記処理履歴或いは精算履歴は、処理を実施した装置の識別情報（装置ＩＤ）を含み、
前記抽出処理手段（ＣＰＵ１０２）は、前記抽出した遊技者特定情報（会員ＩＤ、会員カードＩＤ）について当日の処理履歴或いは精算履歴を抽出し、
前記出力手段（表示装置１０７、プリンタ１０８）は、該抽出結果（会員カード使用履歴出力画面）を出力する。